(57)【要約】【課題】全体の寸法を減じ、針を正確にゼロにリセットすることができる計時器用のゼロリセット装置を提供する。【解決手段】計時器のゼロリセット装置、より具体的にはクロノグラフは、手動制御部品（２）と、手動制御部品（２）によって作動されることができる第二制御部品（４）と、一つ又はそれ以上のゼロリセットカム（６）と、それぞれゼロリセットカム（６）と協動することができるように、第二制御部品（４）によって作動される一つ又はそれ以上のハンマー（５）と、を含む。装置は、第二制御部品（４）が並進移動可能であり、ハンマー（５）が、第二制御部品（４）とは無関係である、それぞれのピボット（１７）を中心に回動し、且つ第二制御部品（４）の並進移動によってピボット（１７）を中心に回動させることができるように、第二制御部品（４）にヒンジ連結されている、ことを特徴としている。【選択図】図１
2008046128.tif 000002
【特許請求の範囲】
【請求項１】
手動制御部品（２）と、手動制御部品（２）によって作動される第二制御部品（４）と、一つまたはそれ以上のゼロリセットカム（６）と、それぞれゼロリセットカム（６）と協動することができるように、第二制御部品（４）によって作動される一つまたはそれ以上のハンマー（５）と、を含む計時器用ゼロリセット装置において、
第二制御部品（４）は、並進移動可能であり、ハンマー（５）は、第二制御部品（４）とは無関係である、それぞれのピボット（１７）を中心に回動し、且つ第二制御部品（４）の並進移動によってピボット（１７）を中心に回動させることができるように、第二制御部品（４）にヒンジ連結されている、
ことを特徴とする計時器用ゼロリセット装置。
【請求項２】
複数のゼロリセットカム（６）と、複数のそれぞれのハンマー（５）と、を含む、
請求項１に記載のゼロリセット装置。
【請求項３】
カム（６）は、ハート形状をなしている、
請求項１又は２に記載のゼロリセット装置。
【請求項４】
手動制御部品（２）は、プッシュボタンである、
請求項１から３のいずれか１項に記載のゼロリセット装置。
【請求項５】
ハンマー（５）において、第二制御部品（４）とのヒンジ点（２１）とピボット（１７）との間の距離（ｄ１）は、対応するカム（６）と協動するようになった面（２２）とピボット（１７）との間の距離（ｄ２）より短い、
請求項１から４のいずれか１項に記載のゼロリセット装置。
【請求項６】
ハンマー（５）は、弾性アーム（１９）を含み、その一端が、対応するカム（６）と協動するようになったハンマー（５）の面（２２）を画成する、
請求項１から５のいずれか１項に記載のゼロリセット装置。
【請求項７】
ハンマー（５）または各ハンマー（５）は、剛性の他のアーム（２０）を含み、弾性アーム（１９）の前記端（２２，２６）は、ハンマー（５）が対応するカム（６）と協動している間、弾性アーム（１９）の変形を制限するために、前記他のアーム（２０）の端（２５）に静止することができる、
請求項６に記載のゼロリセット装置。
【請求項８】
手動制御部品（２）と第二制御部品（４）との間の中間に制御部品（３）を更に含む、
請求項１から７のいずれか１項に記載のゼロリセット装置。
【請求項９】
クロノグラフの開始、停止、及びゼロリセットのための装置であって、
カップリング装置（３０）と、
請求項８に記載のゼロリセット装置（１）と、を含み、
ゼロリセット装置（１）の中間制御部品（３）は、その軌跡の第一セグメントの間クロノグラフを停止させることができるようにカップリング装置（３０）を制御し、第一セグメントに続く軌跡の第二セグメントの間ハンマー（５）を作動させるための第二制御部品（４）の並進移動を制御するようになっている、
ことを特徴とするクロノグラフの開始、停止、及びゼロリセットのための装置。
【請求項１０】
カップリング装置（３０）は、クランプ（３２，３３）を含む垂直カップリング装置であり、中間制御部品（３）は、軌跡の第一セグメントの間クランプ（３２，３３）の閉鎖を制御するようになっている、
請求項９に記載の装置。
【請求項１１】
中間制御部品（３）は、第一端で、第二制御部品（４）の一端（１０）が遊びをもって間に挿入される第一ピン（８）及び第二ピン（９）と、第二端で、クランプ（３２，３３）のうちの一方（３２）と協動する第三ピン（３７）と、を含み、前記一方は、クランプ（３２，３３）の他方（３３）を制御する、
請求項１０に記載の装置。
【請求項１２】
中間制御部品（３）は、レバーである、
請求項８から１１のいずれか１項に記載の装置。
【請求項１３】
請求項１から１２のいずれか１項に記載の装置を含むことを特徴とするクロノグラフ。
【請求項１４】
ゼロリセットカム（６）は、秒カウンター針、分カウンター針、及び時カウンター針をゼロリセットするためのカムを含む、
請求項１３に記載のクロノグラフ。
【発明の詳細な説明】
【技術分野】
【０００１】
本発明は、計時器、より具体的にはクロノグラフ用のゼロリセット装置に関する。
【背景技術】
【０００２】
従来のクロノグラフでは、秒、分、及び時のカウンター針のゼロリセットは、作動されるとき、針の心棒に取り付けられたハート形状のゼロリセットカムを打つハンマーを含む一体部品を運動状態にセットするプッシュボタンを介して成し遂げられる。
【発明の開示】
【発明が解決しようとする課題】
【０００３】
これらのゼロリセット装置は、いくつかの不都合を有する。特に、ゼロリセット装置は、一体部品の軌跡が、ハンマーが、ゼロリセット作用中カムを押し、静止しているときカムの邪魔にならない程十分大きくなくてはならないので、比較的かさばる。さらに、製造公差のために、ハンマーは、完全に正確なやり方でこれらのカムを打つことができないので、分針及び／又は時針のゼロリセットは、一般的に、正確さを欠く。最後に、ハンマーは、ゼロリセットカムに非常に高い圧力を加え、おそらくは、針の心棒を損傷させたり破損すらさせたりする。
【０００４】
本発明は、今述べた不利益を少なくとも部分的に軽減することを目標とする。
【課題を解決するための手段】
【０００５】
そのために、添付の請求項１に記載された計時器用ゼロリセット装置、請求項９に記載されたクロノグラフの開始、停止、及びゼロリセットのための装置、及び請求項１３に記載されたクロノグラフを提供する。本発明の特定の実施形態が、従属請求項２乃至８、１０乃至１２、及び１４に記載される。
【０００６】
本発明の他の特徴及び利点は、本発明の特定の実施形態によるゼロリセット装置を表す添付図面を参照して提供される次の詳細な説明を読むことにより明白になるであろう。
【発明を実施するための最良の形態】
【０００７】
図を参照すると、本発明によるクロノグラフ用のゼロリセット装置１は、使用者によって作動される、２で概略的に表されるプッシュボタンと、プッシュボタン２によって制御されるレバー３と、レバー３によって制御されるスライド制御部品４と、スライド部品４によって制御される枢動ハンマー５と、ハンマー５によって作動されるハート形状のゼロリセットカム６と、を含む。
【０００８】
プッシュボタン２の位置に応じて、レバー３は、点線で示される静止位置、及び実線で示されるゼロリセット位置をとることができる。レバー３は、プッシュボタン２の作用に対抗する、戻りばね７の作用を受ける。レバー３は、その一端に、二つのピン８，９を含み、スライド部品４の一端１０が、ある量の遊びをもってピン８と９の間に挿入される。レバー３の静止位置では、ピン９は、スライド部品４の端１０に隣接する。
【０００９】
スライド部品４は、固定ガイドピン１２と協動する長孔１１を含み、固定ガイドピン１２により、部品４を、点線として示される静止位置と、実線として示されるゼロリセット位置との間で長孔１１の方向に並進スライドさせる。スライド部品４は、ゼロリセットジャンパーと呼ばれる、絶対的なばね１３の作用を受ける。このゼロリセットジャンパー１３の端１４は、スライド部品１４が静止位置にあるとき、スライド部品４の縁部によって画成されるコーナー１５に当接しているが、スライド部品４がゼロリセット位置にあるとき前記縁部の傾斜面１６を押す。しかしながら、変形例として、前記ジャンパー１３は、省略されてもよい。
【００１０】
従来のやり方では、ゼロリセットカム６は、ハート形状をなし、クロノグラフの針、即ち秒カウンターの針、分カウンターの針、及び時カウンターの針（図示せず）のそれぞれの心棒に取り付けられる。
【００１１】
ハンマー５の軸またはピボット１７は、レバー３のピボット１８及びピン１２のように、香箱真のようなクロノグラフの固定部品に取り付けられている。かくして、ハンマー５のピボット１７は、スライド部品４と無関係である、即ち、ピボット１７は、スライド部品４が一方向にまたは他方向に移動される間、固定されたままである。各ハンマー５は、ピボット１７の一方の側に第一アーム１８と、枢軸１７の他方の側に第二アーム１９及び第３アーム２０と、を含む。第一アーム１８及び第三アーム２０は、剛体である。第二アーム１９は、弾性的である。
【００１２】
第一アーム１８は、その端がこれに打ち込まれ、且つスライド部品４に作られたより大きな寸法の穴と協動するピン２１の手段によって、スライド部品４にヒンジ連結されている。もちろん、ピン２１がスライド部品４に打ち込まれ、アーム１８に作られたより大きな寸法の穴と協動する、逆の構造も可能である。第一アーム１８とスライド部品４のこのヒンジ連結により、スライド部品４は、ハンマー５を、該ハンマーが対応するカム６の邪魔にならない静止位置と、２２で指示されるハンマーの打撃面が、カム６の肩部２３を押すゼロリセット位置との間で、ピボット１７を中心に回動させることができる。
【００１３】
対応するカム６と協動するようになった各ハンマー５の打撃面２２は、第二アーム１９の剛性端によって画成される。既知のやり方で、前記面２２は、ハンマー５及びカム６が、面２２がカム６の肩部２３を押しているゼロリセット位置にある間、ハンマー５及びカム６の対応する枢軸１７，２４を通る線に対して傾けられる。
【００１４】
第三アーム２０の端２５は、自由である。この端は、ストップとして役立ち、打撃面２２と反対側である第二アーム１９の端の面２６が、特にハンマー５のゼロリセット動作中、打撃面２２がカム６の先端２７と接触する状況で、第二アーム１９の曲がりを制限するためにこのストップに当接する。
【００１５】
各ハンマー５について、ピボット１７とスライド部品４とのヒンジ点との間、より正確には、ピボット１７の中心とヒンジピン２１の中心との間の距離またはモーメントアームｄ１は、ピボット１７と打撃面２２との間、より正確には、ピボット１７の中心と打撃面２２の中心との間の距離またはモーメントアームｄ２より短い。
【００１６】
その上、本発明によるゼロリセット装置１は、クロノグラフの垂直連結装置３０、即ちそれ自体が知られた方法で、プッシュボタン２とは異なる第二プッシュボタン（図示せず）の作用で、クロノグラフの開始または停止を可能にする装置と協動する。前記連結装置３０は、第二プッシュボタンによって作動されるコラム歯車３１と、一方３２が他方３３を制御し、かぎ３４を介してコラム歯車３１と協動する二つのクランプ３２，３３と、クランプ３２，３３が協動する円錐体（図示せず）によって分離された下歯車３５及び上歯車３６と呼ばれる二つの重ね合わされた歯車と、を含み、下歯車３５は、クロノグラフムーブメント、より正確にはムーブメントの秒車によって連続的に駆動され、上歯車３６は、秒カウンター、分カウンター、及び時カウンターの針に連結されたクロノグラフ車と噛み合う。クランプ３２，３３は、戻りばね（図示せず）の作用を受け、かぎ３４が歯車３１の二つのコラムの間の空間にある間、開位置をとり、かぎ３４が歯車３１のコラムの一つを押している間、閉位置をとる。クランプ３２，３３の開位置では、上歯車３６は、下歯車３５に対して静止し、したがってクロノグラフの針を駆動する。クランプ３２，３３の閉位置では、円錐体は、上歯車３６を下歯車３５から外す上位置にあり、かくしてクロノグラフは、停止される。
【００１７】
本発明では、かぎ３４を含むクランプ３２は、コラム歯車３１によってばかりでなく、レバー３によっても制御される。そのために、二つのピン８，９を備えた以外のレバー３の端が、第三ピン３７を備え、クランプ３２は、凹部３８及びかぎ３９を有する。レバー３の静止位置では、ピン３７は、凹部３８の壁に近くで凹部３８内にあり、コラム歯車３１によって制御されるクランプ３２，３３のあり得る運動を妨げない。プッシュボタン２を作動すると、ピン３７は、コラム歯車３１に対するかぎ３４の位置に応じて、クランプ３２，３３を漸次閉じるように凹部３８の壁のセグメント４０とかぎ３９と連続的に協動し、またはクランプ３２，３３を閉じた状態に保つようにかぎ３９と直接協動する。
【００１８】
本発明による装置によるゼロリセットは、次のように起こる。使用者によって押されると、プッシュボタン２は、レバー３を静止位置（点線）からゼロリセット位置（実線）に回動させる。レバー３の軌跡の第一部分中、スライド部品４は、ピン８とスライド部品４の端１０との間に存在する遊びのためにその静止位置のままであり、レバー３のピン３７は、もしクランプ３２，３３がかぎ３４とコラム歯車３１の間の協動によってすでに閉じられていなければ、これらを漸次閉じるように、クランプ３２の凹部３８の壁４０の一部分の上をスライドし、かくしてクロノグラフを停止させる。ピン８がスライド部品４の端１０と接触する時点から始めて、レバー３の軌跡の第二部分は、ピン８が、ハンマー５が点線で示される静止位置からカム６に向かって回動する方向にスライド部品４を押すところで始まる。しかしながら、レバー３の軌跡のこの第二部分は、ある力、即ちゼロリセットジャンパー１３の作用に打ち勝つのに十分大きい力がプッシュボタン２に及ぼされたときにのみ起こる。前記ジャンパー１３の作用に打ち勝つと、ハンマー５は、カム６をすぐに打ち、実線で示されるように、ハンマー５の打撃面２２がカム６の肩部２３を押すまで、カム６を回転させる。同時に、ピン３７は、かぎ３９に到達するまで凹部３８の壁に沿ってスライドし続けながら、クランプ３２，３３を閉じた状態に保持する。ハンマー５の打撃面２２がカム６の肩部２３を押し、ピン３７がかぎ３９を押している最終位置では、クロノグラフ針は、ゼロになる。プッシュボタン２が解放されると、レバー３は、戻りばね７によって静止位置に戻される。この運動中、ピン３７は、凹部３８内の初期位置に戻り、これは、かぎ３４のコラム歯車３１に対する位置に応じて、クロノグラフを自動的に再開し、または第二プッシュボタンの手段によってその再開を可能にし、レバー３のピン９は、スライド部品４およびそのハンマー５を、静止位置に戻すように、スライド部品４の端１０を押す。
【００１９】
ハンマー５をピボット１７を中心に回動させるスライド制御部品４によって、本発明によるゼロリセット装置は、異なる要素、特にハンマーの構造を選択するにあたって大きな柔軟性を提供し、かくしてムーブメントまたは追加の機構への組み込みを容易にし、全体の寸法を減ずることができることに気づくであろう。本発明によるゼロリセット装置の寸法を、特に、ハンマー５のモーメントアームを適合することによって、即ち、図示した例におけるように、モーメントアームｄ２よりも小さいモーメントアームｄ１を選択することにより、かなり大きなやり方で減ずることができる。この方法では、実際、スライド部品４の小さい軌跡は、ハンマー５の静止位置で、打撃面２２がカム６の邪魔にならないのに十分大きい、ハンマー５の打撃面２２の軌跡を得るのに十分である。
【００２０】
その上、製造公差は、ハンマー５のアーム１９の弾力性、即ち、三つの針を正確にゼロにリセットすることができる弾力性によって補償される。アーム１９のこの弾力性は、また、針の心棒２４がゼロにリセットされる間受ける力を減少させるのに役立つ。
【００２１】
最後に、クロノグラフの針をゼロにリセットする前に止めることにより、本発明による装置は、ゼロリセット後前記針の正確な再開を可能にし、カップリング３０の摩擦作用によりギヤの遊びを埋め合わせることによって、ムーブメントの秒車がゼロリセット中、クロノグラフの秒針をゼロリセット後、前方にジャンプさせる、後戻りを回避する。
【００２２】
本発明は、特にクロノグラフ針のゼロリセットに適応可能であるが、そのような適応に限定されない。本発明は、実際に、一つまたは複数の針をゼロに戻してリセットすることができることを望む全ての計時器に適用することができる。
【図面の簡単な説明】
【００２３】
【図１】本発明によるクロノグラフ用のゼロリセット装置を示す図である。
【符号の説明】
【００２４】
１  ゼロリセット装置
２  プッシュボタン
３  レバー
４  スライド制御部品
５  ハンマー
６  ゼロリセットカム
８，９  ピン
１７  ピボット
１９  第二アーム
２０  第三アーム
２２  打撃面
３０  カップリング装置
３２，３３  クランプ
３７  第三ピン
【図１】
2008046128.tif 000003